(57)【要約】【課題】小型かつ低価格なストロボ装置を提供する。【解決手段】プリント基板６の表面に導電性パターン９が形成されており、この導電性パターンに導電性の反射傘２が当接されて電気接続され、反射傘２に内挿される閃光放電管１のためのトリガ電極が形成される。また、プリント基板６には、弾性部材４により閃光放電管１を取り付けるための嵌装部としての一対の切り欠き孔８が設けられる。そして、閃光放電管１とプリント基板６とで反射傘２を挟持した状態で、閃光放電管１の両側（両端部近傍）とプリント基板６とが一対の切り欠き孔８（嵌装部）を介して弾性部材４により掛止される。【選択図】  図１
2005025032.tif 000002
【特許請求の範囲】
【請求項１】
両端部に一対の主電極を有する棒状の閃光放電管と、この閃光放電管を取り付けるための嵌装部が設けられ、表面に導電性パターンを有するプリント基板と、導電性材料からなり、前記プリント基板の導電性パターンに外表面を当接させることにより電気接続され、前記閃光放電管が内挿される反射傘と、  前記反射傘の前面に配置され前記プリント基板に取付けられる光学パネルと、  前記閃光放電管の両側および前記プリント基板の嵌装部に掛止される弾性部材とを具備することを特徴とするストロボ装置。
【請求項２】
閃光放電管の主電極は、プリント基板表面の導電性パターンに結合されて電気接続されることを特徴とする請求項１記載のストロボ装置。
【請求項３】
弾性部材は、閃光放電管の両側からプリント基板の嵌装部を介して当該プリント基板の裏面側に渡って掛止されることを特徴とする請求項１または２記載のストロボ装置。
【請求項４】
弾性部材は、環状のゴム部材からなることを特徴とする請求項３記載のストロボ装置。
【請求項５】
弾性部材は、直線状の基部と、当該基部の両端部にそれぞれ設けられた環状の掛止部とを具備することを特徴とする請求項３記載のストロボ装置。
【発明の詳細な説明】
【０００１】
【発明の属する技術分野】
本発明は、デジタルスチルカメラや銀塩カメラの補助光源として使用されるストロボ装置に関し、特に、それらのカメラに内蔵されるストロボ装置に関する。
【０００２】
【従来の技術】
デジタルスチルカメラや銀塩カメラに用いられるストロボ装置、特に、カメラ内蔵型のストロボ装置には、下記特許文献１のようなプリント基板を用いた構成が公知である。図５は従来におけるストロボ装置の分解構成図である。図５のストロボ装置においては、両端部に一対の主電極５を有する棒状の閃光放電管１が導電性の反射傘２に内挿され、輪ゴム等の弾性部材１７により、閃光放電管１の両端部から反射傘２の外面に渡って掛止されることにより固定されている。さらに、この反射傘２が前面に開口部を有するホルダ１８に内挿されるとともに、当該ホルダ１８の前面に光学パネル２１が被せられた後、プリント基板１６に接着剤やねじ等（図示せず）により取り付けられる。
【０００３】
この際、反射傘２の外面部とプリント基板１６とは、プリント基板１６のトリガ回路（図示せず）に接続されるトリガリード線１９を導電性テープ２０によってそれぞれに貼着することにより、電気接続される。
【０００４】
【特許文献１】
特開２００２−３６５７０９号公報
【０００５】
【発明が解決しようとする課題】
しかし、このようなストロボ装置には以下のような問題があった。すなわち、上記のようなストロボ装置は、閃光放電管１および反射傘２等をプリント基板１６に取り付けるためのホルダ１８が必要であり、このホルダ１８によってストロボ装置の小型化が妨げられるという問題があった。
【０００６】
一方、トリガ電極のために、トリガリード線１９を導電性テープ２０で貼着したり、ホルダ１８を接着剤やねじ等によりプリント基板１６に取り付ける工程が必要となるために、部品点数および組立工数が多くなりストロボ装置の低価格化を阻害することとなっていた。
【０００７】
この記問題は、特に近年、ストロボ装置が内蔵されるデジタルスチルカメラや銀塩カメラの型化および低価格化が要求されていることもあり、ストロボ装置の小型化かつ低価格化も必然的にますます重要な問題となっていた。
【０００８】
本発明は、かかる従来技術の問題点を解決するべくなされたもので、小型かつ低価格なストロボ装置を提供することを目的とする。
【０００９】
【課題を解決するための手段】
本発明の請求項１に記載のストロボ装置は、両端部に一対の主電極を有する棒状の閃光放電管を取り付けるための嵌装部が設けられ、表面に導電性パターンを有するプリント基板と、導電性材料からなり、前記プリント基板の導電性パターンに外表面を当接させることにより電気接続され前記閃光放電管が内挿される反射傘と、前記反射傘の前面に配置され前記プリント基板に取付けられる光学パネルと、前記閃光放電管の両側および前記プリント基板の嵌装部に掛止される弾性部材とを具備するものである。
【００１０】
本発明のストロボ装置によれば、プリント基板の表面に導電性パターンが形成されており、この表面に導電性の反射傘が当接されて電気接続された際に、反射傘に内挿される閃光放電管のためのトリガ電極を形成する。また、閃光放電管は、棒状であり、両端部に一対の主電極を有する一方、プリント基板には、弾性部材により閃光放電管を取り付けるための嵌装部が設けられる。そして、閃光放電管とプリント基板とで反射傘を挟持した状態で、閃光放電管の両側（両端部近傍）とプリント基板の嵌装部とが弾性部材により掛止される。
【００１１】
このように、閃光放電管とプリント基板とで反射傘を挟持させることにより、小型化を阻害するホルダを用いることなくプリント基板に閃光放電管および反射傘を固定することができる。また、弾性部材を用いてプリント基板、閃光放電管および反射傘を一度に掛止することにより、組立工数を抑えることができるとともに、接着剤やねじ等が不要となるため、部品点数も少なくすることができる。さらに、プリント基板上の導電性パターンに反射傘を当接させることにより、トリガリード線を別に取り付ける必要がなくなるため、作業工数および部品点数を低減させることができる。
【００１２】
本発明の請求項２に記載のストロボ装置は、閃光放電管の主電極が、プリント基板表面の導電性パターンに結合されて電気接続されるものであり、リード線による電気接続をすることなく半田上げにより簡単に発光の電気エネルギー源に電気接続が可能になる。
本発明の請求項３に記載のストロボ装置は、弾性部材が、閃光放電管の両側からプリント基板の嵌装部を介して当該プリント基板の裏面側に渡って掛止されるものであり、弾性部材の使用により簡単にストロボ装置を組み立てることが出来る。
本発明の請求項４に記載のストロボ装置は、弾性部材が、環状のゴム部材からなるもので、環状のゴム部材でもってストロボ装置を簡単にプリント基板に組み立てることが出来る。
本発明の請求項５に記載のストロボ装置は、弾性部材が、直線状の基部と、当該基部の両端部にそれぞれ設けられた環状の掛止部とからなるもので、このような弾性部材を使用することでも、簡単な作業でストロボ装置を組み立てることができる。
【００１３】
【発明の実施の形態】
以下、添付図面を参照しつつ、本発明の一実施の形態を説明する。図１は本発明に係る一実施の形態のストロボ装置の分解構造図であり、図２は図１の正面図であり、図３は図２のＡ−Ａ断面図である。
【００１４】
本実施形態のストロボ装置は、図１〜図３に示されるように、両端部に一対の主電極５を有する棒状の閃光放電管１と、前記閃光放電管１を取り付けるための弾性部材４が挿通される嵌装部である切り欠き孔８が設けられ、表面に導電性パターン９を有するプリント基板６と、導電性材料からなり、外面にプリント基板６表面の導電性パターン９を当接させることにより電気接続されるとともに、閃光放電管１が内挿されて当接する反射傘２と、この反射傘２の前面に配置され、前面にフレネルレンズ１１を有する光学パネル３と、閃光放電管１およびプリント基板６により反射傘２を挟持すべく、閃光放電管１の両側およびプリント基板６の切り欠き孔８に掛止される弾性部材４とを具備するものである。
【００１５】
本発明のストロボ装置によれば、プリント基板６の表面に導電性パターン９が形成されており、この表面に導電性の反射傘２が当接されて電気接続された際に、反射傘２に内挿される閃光放電管１のためのトリガ電極を形成する。また、閃光放電管１は、棒状であり、両端部に一対の主電極５を有する一方、プリント基板６には、弾性部材４により閃光放電管１を取り付けるための嵌装部としての一対の切り欠き孔８が設けられる。そして、図３に示すように、閃光放電管１とプリント基板６とで反射傘２を挟持した状態で、閃光放電管１の両側（両端部近傍）とプリント基板６とが一対の切り欠き孔８を介して弾性部材４により掛止される。
【００１６】
このように、閃光放電管１とプリント基板６とで反射傘２を挟持させることにより、小型化を阻害していたホルダを用いることなくプリント基板６に閃光放電管１および反射傘２を固定することができる。また、弾性部材４を用いてプリント基板６、閃光放電管１および反射傘２を一度に掛止することにより、組立工数を抑えることができるとともに、接着剤やねじ等が不要となるため、部品点数も少なくすることができる。さらに、プリント基板６上の導電性パターン９に反射傘２を当接させることにより、トリガリード線等を別に取り付ける必要がなくなるため、作業工数および部品点数を低減させることができる。
【００１７】
以上のことより、ストロボ装置をより小型化することができるとともに、製造コストをより低減させることができる。
【００１８】
本実施形態において、プリント基板６には、光学パネル３を掛止するための切り欠き孔７が形成されており、光学パネル３の取り付け端部１２を切り欠き孔７に挿通させて掛止される。これにより、反射傘２をプリント基板６の導電性パターン９にさらに強固に当接させるとともに、反射傘２およびフレネルレンズ１１の向きを適正方向に固定することができる。なお、光学パネル３の取り付け端部１２には、返りが設けられており、光学パネル３の脱落を防止する。
【００１９】
また、閃光放電管１の主電極５は、図２に示されるように、前記プリント基板６表面の導電性パターン１０に、例えば半田を盛って電気接続できる。
【００２０】
このため、閃光放電管１の両端部にある主電極５とプリント基板６上の導電性パターン９とが他のリード線等を介することなく電気接続される。したがって、より作業工数および部品点数を低減させることができる。
【００２１】
さらに、弾性部材４は、閃光放電管１の両側から前記プリント基板６の一対の切り欠き孔８を介してプリント基板６の裏面側に渡って（図２の横破線部で示される）掛止されるように構成される。
【００２２】
このため、弾性部材４の一端を閃光放電管１の一方側に掛止させた上で、弾性部材４の他端をプリント基板６の一方の切り欠き孔８に表面から裏面へと挿通する。さらに、プリント基板６の他方の切り欠き孔８に裏面から表面へと挿通した上で、閃光放電管１の他方側に掛止することにより、プリント基板６と閃光放電管１とが反射傘２を挟持しつつ固定される。したがって、閃光放電管１の両側に弾性部材４の両端部が掛止されることにより、反射傘２およびプリント基板６が閃光放電管１に縛り付けられるように固定されるため、より容易かつより強固に固定することができる。
【００２３】
また、本実施形態の弾性部材４は、環状のゴム部材からなるように構成される。
【００２４】
このため、環の内側に閃光放電管１の両側がそれぞれ掛止される。したがって、環状のゴム部材を用いることによって、弾性部材４において閃光放電管１の両側に掛止する部位を新たに設けることなく掛止させることができるため、弾性部材４形成のコストをより低減させることができる。
【００２５】
上記のように、本実施形態のストロボ装置においては、環状のゴム部材を弾性部材４として用いているが、弾性部材の形態は種々適用可能である。
【００２６】
図４は弾性部材の他の適用例を示す図である。図４に示されるように、前記弾性部材１３は、直線状の基部１４と、当該基部１４の両端部にそれぞれ設けられた環状の掛止部１５とを具備するように構成される。
【００２７】
この場合、直線状の基部１４が主にプリント基板６の裏面および嵌装部（切り欠き孔８）に掛止され、環状の掛止部１５が閃光放電管１の両側に掛止される。したがって、掛止個所に応じて弾性部材１３の形状が異なることにより、弾性部材１３の応力分布がより適正となるため、プリント基板６、閃光放電管１および反射傘２をより強固に固定することができるとともに、弾性部材１３の耐用期間も長くすることができる。
【００２８】
また、上記の弾性部材４，１３においては、閃光放電管１の両側に一体の弾性部材４，１３がそれぞれ掛止され、プリント基板６の裏面を縛り付けるようにして固定することとしているが、弾性部材を複数（例えば、２つ）用い、プリント基板６の嵌装部の一方と閃光放電管１の一方側とを一方の弾性部材により掛止するとともに、プリント基板６の嵌装部の他方と閃光放電管１の他方側とを他方の弾性部材により掛止し、両弾性部材を結合し、プリント基板６と閃光放電管１とで反射傘２を挟持した状態で固定することも可能である。この場合、閃光放電管１の両側でそれぞれ別体の弾性部材を掛止させることにより、弾性力が何れか一方側に偏りにくくすることができる。
【００２９】
【発明の効果】
本発明に係るストロボ装置によれば、閃光放電管とプリント基板とで反射傘を挟持させることにより、小型化を阻害するホルダを用いることなくプリント基板に閃光放電管および反射傘を固定することができる。また、弾性部材を用いてプリント基板、閃光放電管および反射傘を一度に掛止することにより、組立工数を抑えることができるとともに、接着剤やねじ等が不要となるため、部品点数も少なくすることができる。さらに、プリント基板上の導電性パターンに反射傘を当接させることにより、トリガリード線を別に取り付ける必要がなくなるため、作業工数および部品点数を低減させることができる。
【００３０】
以上より、ストロボ装置をより小型化することができるとともに、製造コストをより低減させることができる。
【図面の簡単な説明】
【図１】本発明に係る一実施の形態のストロボ装置の分解構成図
【図２】図１にかかるストロボ装置の分解構成を組み立ててなる正面図
【図３】図２のＡ−Ａ断面図
【図４】弾性部材の他の実施形態を示す平面図
【図５】従来におけるストロボ装置の分解構成図
【符号の説明】
１  閃光放電管
２  反射傘
３  光学パネル
４，１３  弾性部材
５  主電極
６  プリント基板
８  切り欠き孔（嵌装部）
９，１０  導電性パターン
１４  基部
１５  掛止部
【図１】
2005025032.tif 000003
【図２】
2005025032.tif 000004
【図３】
2005025032.tif 000005
【図４】
2005025032.tif 000006
【図５】
2005025032.tif 000007